(57)【特許請求の範囲】
【請求項１】
ヒンジにより結合された第１の筐体と第１のカバー及び第２のカバーを含む第２の筐体を二つ折り状態と水平状態の間で変化させることが可能な折り畳み型移動型移動通信装置のヒンジ部構造において、
前記ヒンジの軸部として機能するヒンジユニットを備え、
前記ヒンジユニットは嵌合凸部と、前記嵌合凸部を相対回転可能に保持する胴体部を有し、
前記第１のカバーは前記嵌合凸部を嵌合する一の開口部を持つ嵌合溝を含み、
前記第２のカバーは前記嵌合溝の前記一の開口部に嵌合されることにより前記嵌合凸部を封鎖して固定する突部を含むことを特徴とする折り畳み型移動通信装置のヒンジ部構造。
【請求項２】
請求項１記載の折り畳み型移動通信装置のヒンジ部構造であって、
前記ヒンジの軸支部として機能し前記第１の筐体に設けられる１又は複数の第１の係合部材と、
前記ヒンジの軸支部として機能し前記第２の筐体に設けられる１又は複数の第２の係合部材とを備え、
前記嵌合溝は隣接する前記第１及び第２の係合部材の接触面に設けられることを特徴とする折り畳み型移動通信装置のヒンジ部構造。
【請求項３】
請求項２記載の折り畳み型移動通信装置のヒンジ部構造であって、
前記第１のカバーは前記嵌合溝を設けられた前記第２の係合部材を有することを特徴とする折り畳み型移動通信装置のヒンジ部構造。
【請求項４】
請求項３記載の折り畳み型移動通信装置のヒンジ部構造であって、
前記第２の係合部材は、前記ヒンジの外側に配設された部分が前記ヒンジユニットを露出せず、その内側に設けられた前記嵌合溝に前記ヒンジユニットの嵌合凸部が配設されることを特徴とする折り畳み型移動通信装置のヒンジ部構造。
【請求項５】
請求項２乃至４のいずれか１記載の折り畳み型移動通信装置のヒンジ部構造であって、
前記ヒンジユニットは隣接する前記第１及び第２の係合部材の接触面にアセンブリされることを特徴とする折り畳み型移動通信装置のヒンジ部構造。
【請求項６】
請求項２乃至５のいずれか１記載の折り畳み型移動通信装置のヒンジ部構造であって、
前記ヒンジユニットの胴体部が前記第１の係合部材に内嵌されることを特徴とする折り畳み型移動通信装置のヒンジ部構造。
【請求項７】
請求項２乃至５のいずれか１記載の折り畳み型移動通信装置のヒンジ構造であって、
前記第１又は第２の係合部材は、両者の組み付け前に、前記嵌合溝に対向配置された係合部材に前記ヒンジユニットの主体部が予め嵌入されていることを特徴とする折り畳み型移動通信装置のヒンジ部構造。
【発明の詳細な説明】
【０００１】
【発明の属する技術分野】
本発明は、折り畳み型移動通信装置のヒンジ部構造に関し、特に、折り畳み型携帯電話機にあって、軸部となるヒンジユニットを内部からアセンブリできるようにし、ヒンジユニットが外部から見えないようにした折り畳み型移動通信装置のヒンジ部構造に関する。
【０００２】
【従来の技術】
携帯電話機、ＰＨＳ(Personal Handyphone System)電話機等の移動通信装置においては、電話番号等を入力するためのキーブロック（数字キー、記号キー、機能キー等を含む）、入力内容や着信情報を表示するための液晶ディスプレィ等を必須としている。他方、携帯電話機においては、操作性を確保しながら小型化及び軽量化を図ることが要求されており、筐体を小型化しすぎると、ディスプレィやキーブロックが小さくなり、操作性が損なわれる。そこで、使用しないときには筐体を折り畳み、使用時には二つ折り状態から水平状態に開くことのできる折り畳み型は、十分な操作面の面積を確保できることから、携帯電話機の筐体構造として最適である。
【０００３】
折り畳み型携帯電話機の筐体構造は、一般に、表面（前面）カバーと裏面（背面）カバーをそれぞれが備えた上側筐体と下側筐体を主体に構成され、上側筐体と下側筐体がヒンジ部により回転可能に結合されている。そして、上側筐体と下側筐体がほぼ水平になる１８０度位置から、上側筐体と下側筐体が密着状態に重なる０度位置に折り畳むことができると共に、逆に、折り畳まれた０度位置から１８０度位置へと開くこともできる。ヒンジ部は、耐衝撃等の機械的強度を備えると共に、長期の使用でも部材間の遊びの大きくならない様な信頼性の高い構造を備えるほか、上側筐体の電気系と下側筐体の電気系とを電気的に接続するためのフレキシブル基板を内蔵できるような構造、優れたデザイン、生産性に優れる構造等が要求される。
【０００４】
図１３、図１４、及び図１５は、折り畳み型携帯電話機における従来のヒンジ部構造を示す。図１３は従来のヒンジ部構造のほか、折り畳み型携帯電話機を構成する上側筐体及び下側筐体の各表面カバーと、ヒンジユニットの分解図を示し、図１４は上側筐体と下側筐体の各表面カバーにヒンジユニットを組み付けた状態を示し、図１５はヒンジ部を裏側から見た状態を示している。
【０００５】
上側筐体１１０は金属又は樹脂を材料にして金型により作られ、この上側筐体１１０には液晶表示器の表示部が露出する表示用窓１１１、裏面カバーを固定するためのビスが挿入される各一対のネジ穴１１２，１１３、スピーカ用穴１１４等が形成されている。また、上側筐体１１０の下縁部には、円筒状の係合部材１１５ａ，１１５ｂが突設されている。係合部材１１５ｂは、係合部材１１５ａと同一長さの範囲が円筒状で、残りは半円形（円筒部の約１／２を除去した形状）を成し、係合部材１１５ａと１１５ｂの中心軸は、同一になるように設定されている。係合部材１１５ａの内側端面及び係合部材１１５ｂの円筒形部分の内側端面は閉塞され、この閉塞面には後述するヒンジユニット１３１，１３２のカシメ部が係合する貫通穴１１６が設けられている。さらに、裏面カバー（図示せず）との結合部となる複数の突起部や凹部が要所に設けられている。
【０００６】
下側筐体１２０も金属又は樹脂を材料にして金型により作られ、表面の大部分には、キーブロック（図示せず）の各キーの操作面を露出させるための複数のキー穴からなるキー操作部１２１が設けられている。下側筐体１２０の下部には、マイク用穴１２２、及び折り畳んだときに上側筐体１１０と下側筐体１２０とのクリアランスを確保するための一対の突起１２３が設けられている。さらに、下側筐体１２０の上縁部には、ヒンジ部に介在する円筒状の係合部材１２４ａ，１２４ｃと、半円形の係合部材１２４ｂが設けられている。係合部材１２４ａ，１２４ｃのそれぞれの中心軸は、同一になるように設定されており、上側筐体１１０との組み付け後には、係合部材１１５ａ，１１５ｂの中心軸と一致する。
【０００７】
図１４に示すように、係合部材１１５ａ，１１５ｂと係合部材１２４ａ，１２４ｃが、同一軸上に並ぶように上側筐体１１０と下側筐体１２０が組み付けられた後、図１３及び図１５に示すように、ヒンジユニット１３１が係合部材１１５ａと１２４ａに介在するように内挿され、また、ヒンジユニット１３２が係合部材１１５ｂと１２４ｃに介在するように内挿される。
【０００８】
ヒンジユニット１３１と１３２は同一形状をなし、図１５に示すように、主体部としての胴体部１３１ａ，１３２ａ、この一端（外側端）に設けられたヒンジキャップ（化粧部材）１３１ｂ，１３２ｂ、及び胴体部１３１ａ，１３２ａの他端に設けられたスナップフィット部１３１ｃ，１３２ｃを備えている。胴体部１３１ｂ，１３２ｂは係合部材１１５ａ，１１５ｂ及び係合部材１２４ａ，１２４ｃに内嵌可能な外径を有した円筒形を成している。スナップフィット部１３１ｃ，１３２ｃは、係合部材１１５ａ，係合部材１１５ｂの貫通穴１１６に係合してヒンジユニット１３１，１３２の抜け落ちを防止する機能をもっている。このスナップフィット部１３１ｂ，１３２ｂは、弾性を有し端部に膨出部が設けられた数本の爪から成り、その先端部による輪郭が係合部材１１５ａ，１１５ｂの貫通穴１１６の内径よりやや大きく設定されている。このため、ヒンジユニット１３１，１３２が貫通穴１１６を通過する時には、それぞれの爪の先端部が強制的に内側に押し込まれ、この先端部が貫通穴１１６の通過後に原状に復帰することにより、ヒンジユニット１３１，１３２が係合部材１１５ａ，１１５ｂから抜け出なくなる。このとき、図１６に示すように、スナップフィット部１３１ｂ，１３２ｂの各先端の膨出部は、係合部材１１５ａ，１１５ｂの内面から突出する。
【０００９】
このような構造により、図１３のように上側筐体１１０と下側筐体１２０を組み付けた後、ヒンジユニット１３１，１３２を係合部材１１５ａ，１１５ｂ内の突起１２５に位置を合わせ、この状態のまま外側から指で挿入することにより、ネジ等を用いることなく、係合する係合部材に固定することができる。
【００１０】
胴体部１３１ａ，１３２ａとスナップフィット部１３１ｃ，１３２ｃは、内蔵のフリクション機構によって自由に摺動でき、これにより、上側筐体１１０と下側筐体１２０は開閉することができる。内嵌された胴体部１３１ａ，１３２ａを固定するために、係合部材１２４ａ，１２４ｃの内周面には突起１２５が設けられ、また、スナップフィット部１３１ｃ，１３２ｃを固定するために、係合部材１１５ａ，１１５ｂの内周面には、スナップフィット部１３１ｃ，１３２ｃの台座部分の一部に嵌合する突起１１７が形成されている。
【００１１】
【発明が解決しようとする課題】
しかし、従来の折り畳み型移動通信装置のヒンジ部構造によると、ヒンジユニット１３１，１３２を係合部材の外側から挿入して組み付ける構造のため、筐体の外側にヒンジキャップが露出するデザインを踏襲せざるを得ない。ヒンジユニット（ヒンジキャップ）を外部から見えない構造にしようとすれば、ヒンジユニット（ヒンジキャップ）を内部に隠すための別部品が必要となり、部品点数が増し、筐体の大型化やコストアップを招くため、結局、解決策にはならない。
【００１２】
したがって、本発明の目的は、ヒンジユニットを内部からアセンブリできるようにし、別部品を用いることなく、ヒンジユニットが外部から見えないようにした折り畳み型移動通信装置のヒンジ部構造を提供することにある。
【００１３】
【課題を解決するための手段】
本発明は、上記の目的を達成するため、ヒンジにより結合された第１の筐体と第１のカバー及び第２のカバーを含む第２の筐体を二つ折り状態と水平状態の間で変化させることが可能な折り畳み型移動型移動通信装置のヒンジ部構造において、前記ヒンジの軸部として機能するヒンジユニットを備え、前記ヒンジユニットは嵌合凸部と、前記嵌合凸部を相対回転可能に保持する胴体部を有し、前記第１のカバーは前記嵌合凸部を嵌合する一の開口部を持つ嵌合溝を含み、前記第２のカバーは前記嵌合溝の前記一の開口部に嵌合されることにより前記嵌合凸部を封鎖して固定することを特徴とする折り畳み型移動通信装置のヒンジ部構造を提供する。
【００１４】
この構造によれば、ヒンジユニットは、従来のようにヒンジの外側から挿入されるのではなく、ヒンジの内側から隣接同士の第１及び第２の係合部材に介在するように取り付けられ、かつ、その端部が筐体の外から見えないように取り付けられる。したがって、ヒンジユニットがヒンジの外側から見えないように（外側の係合部材から見えないように）なり、美観が向上するほか、筐体デザインの自由度が向上する。さらに、ヒンジユニットを外部から見えなくするためのヒンジキャップ等が不必要になるので、部品点数の削減が可能になり、コストダウンができる。
【００１５】
【発明の実施の形態】
以下、本発明の実施の形態を図面に基づいて説明する。
図１及び図２は、本発明における折り畳み型移動通信装置のヒンジ部構造を示す。さらに、図３は、上側筐体にヒンジユニットを装填した状態を示す。図１は折り畳み型移動通信装置のヒンジ部の表面（操作面）側を示し、図２は上側筐体と下側筐体を組み付けた状態のヒンジ部を示している。以下においては、折り畳み型移動通信装置として、携帯電話機を取り上げて説明する。
【００１６】
上側筐体１０は金属又は樹脂を材料にして金型により作られ、この上側筐１０には液晶表示器の表示部が内側に配設される表示用窓１１、裏面カバーを固定するためのビスが挿入されるネジ穴１２，１３等が形成されている。また、上側筐体１０の下縁部には、軸支部としての円筒状の係合部材１４ａ，１４ｂが突設されている。係合部材１４ｂは、その長さの約半分が円筒状で、残りは半円形を成し、係合部材１４ａと１４ｂの中心軸は、同一になるように設定されている。この係合部材１４ａ，１４ｂのそれぞれの貫通穴１５ａ，１５ｂには、図１及び図３に示すように、軸部としてのヒンジユニット３１，３２が装填される。
【００１７】
図２に示すように、上側筐体１０に対してヒンジ部が嵌合する下側筐体２０は、上側筐体１０と同様に金属又は樹脂を材料にして金型により作られ、表面の大部分には、キーブロック（図示せず）の各キーの操作面を露出させるための複数のキー穴からなるキー操作部２１が設けられている。下側筐体２０の下部には、図示しないマイク用穴や裏面カバーの取り付けに用いられるネジ穴等が設けられている。さらに、下側筐体２０の上縁部には、上側筐体１０の係合部材１４ａ，１４ｂに対して一列に並ぶように設計されている円筒状の係合部材２２ａ，２２ｂと、半円形の係合部材２２ｃが設けられている。この係合部材２２ａ，２２ｂは、ヒンジの軸支部として機能する。
【００１８】
係合部材２２ａ，２２ｂは、図１及び図２に示すように、ヒンジユニットを外部から挿入するための貫通穴は設けられておらず、外形は半球状の丸みを持つように加工されている。その内側には、図１に示すように、溝２３ａ，２３ｂが縦方向（下側筐体２０の厚み方向）に設けられている。係合部材２２ａ，２２ｂは係合部材１４ａ，１４ｂの両側に位置し、係合部材２２ｃは係合部材１４ａと１４ｂの間に介在する。係合部材２２ａ，２２ｂのそれぞれの中心軸は、同軸に設定されており、上側筐体１０との組み付け後には、係合部材１４ａ，１４ｂの中心軸に一致する。
【００１９】
ヒンジユニット３１及び３２は同一構造及び同一長さを有している。その構造は、図１に示すように、主体部としての胴体部３１ａ，３２ａ、これら胴体部の一端に設けられた四角形の凸部３１ｂ，３２ｂ、胴体部３１ａ，３２ａの他端に設けられた嵌入部３１ｃ，３２ｃを備えて構成されている。胴体部３１ａ，３２ａはスプリング等を含む構造の図示せぬフリクション機構（０°位置と１８０°位置のクリック機構も備えている）を内蔵しており、これにより凸部３１ｂ，３２ｂは胴体部３１ａ，３２ａに対して摺動（相対回転）することができる。胴体部３１ａ，３２ａには溝３１ｄ，３２ｄが設けられており、この溝３１ｄ，３２ｄに嵌合する突起１６ａ，１６ｂが係合部材１４ａ，１４ｂに設けられている。したがって、ヒンジユニット３１，３２は、係合部材１４ａ，１４ｂに挿入された後は、突起１６ａ，１６ｂによって回転が防止され、つまり、下側筐体２０を固定（保持）したまま上側筐体１０を回転させると、凸部３１ｂ，３２ｂは下側筐体２０の溝２３ａ，２３ｂに嵌入して固定されているために凸部３１ｂ，３２ｂは下側筐体２０に保持されたまま、胴体部３１ａ，３２ａが上側筐体１０と一体に回転する。
【００２０】
ヒンジユニット３１，３２の嵌入部３１ｃ，３２ｃは、高さの低い円柱形を成している。この嵌入部３１ｃ，３２ｃは、係合部材１４ａ，１４ｂに設けられた開口１７ａ，１７ｂに嵌合する。この開口１７ａ，１７ｂは、貫通穴１５ａ，１５ｂの内側端面に設けられている。
【００２１】
図４は、上側筐体１０及びヒンジユニット３１，３２の全体構成であり、（ａ）は上側筐体１０の裏面、（ｂ）は（ａ）の左側面、（ｃ）は右側面を示す。また、図５は、図４の係合部材１４ａ，１４ｂのＡ−Ａ断面を示す。図４の（ａ）に示すように、上側筐体１０には、表示用窓１１、ネジ穴１２，１３、係合部材１４ａ，１４ｂのほか、スピーカ（図示せず）が配置されるスピーカ配置部１０ａ、裏面カバー（上側筐体用）を固定するためのネジ穴１０ｂ、着信用ＬＥＤ配置部１０ｃ、裏面カバーに嵌合する突片１０ｄ，１０ｅ，１０ｆ，１０ｇ、裏面カバーとの位置決め用ピン１０ｈ，１０ｉ等が設けられている。
【００２２】
図５に示すように、係合部材１４ａ，１４ｂには開口１７ａ，１７ｂが設けられている。この開口１７ａ，１７ｂは、貫通穴１５ａ，１５ｂの端面を閉塞した面に開口されており、その内径は貫通穴１５ａ，１５ｂの直径よりも小さい。また、係合部材１４ａの半円形部分には突起１８が設けられており、裏面カバーに設けられている凹部に嵌合し、嵌合部に隙間が生じて外部から見えるのを防止している。
【００２３】
図６は下側筐体２０の全体構成であり、（ａ）は下側筐体２０の裏面、（ｂ）は（ａ）の左側面、（ｃ）は右側面を示す。図４の（ａ）に示すように、下側筐体２０には、キー操作部２１、係合部材２２ａ〜２２ｃのほか、マイク（図示せず）が配置されるマイク配置部２０ａ、裏面カバー（下側筐体用）を固定するためのネジ穴２０ｂ，２０ｃ，２０ｄ，２０ｅが設けられている。さらに、側面には、音量調節ボタン、イヤホン・マイクセット用端子を設けるための凹部２０ｆ，２０ｇが設けられている。
【００２４】
図７は、図６の下側筐体２０のＢ−Ｂ断面を示す。図７から明らかなように、係合部材２２ａ（２２ｂ）に設けられた溝２３ａ（２３ｂ）は、下側筐体２０の操作面（表面）に対して垂直に形成されており、その上部（図の左側端）は閉鎖されている。また、係合部材２２ａ（２２ｂ）の外形は、従来のようにヒンジキャップを設ける必要がないため、設計の自由度が増し、意匠を優先した筐体設計が可能になる。
【００２５】
図８は下側筐体用裏面カバーの断面を示す。また、図９は裏面カバーを下側筐体に装着したときの係合部材の断面を示す。図８は図７の下側筐体２０のＢ−Ｂ断面位置に対応する断面を示している。下側筐体用裏面カバー４０は、係合部材２２ａに連結される部分に突部４１が設けられている。この突部４１は溝２３ａと同一の高さと幅を有しているが、凸部３１ｂの溝２３ａへの嵌入を妨げない長さに設定されている。図９に示すように、下側筐体用裏面カバー４０を下側筐体２０に嵌合したとき、突部４１は溝２３ａの一部に嵌合して溝２３ａに嵌入しているヒンジユニット３１の凸部３１ｂを裏側から封鎖し、凸部３１ｂを固定する。ここでは、係合部材２２ａについてのみ図示し説明したが、係合部材２２ｂ側も突部４１と同様の形状の突部が設けられており、溝２３ｂに嵌合する。なお、ヒンジ部の外面４２は、係合部材２２ａの外形に合わせられ、デザインの統一を図っている。
【００２６】
図１０〜図１２は、本発明における折り畳み型移動通信装置のヒンジ部構造の組み付け手順を示す。この図１０〜図１２、及び図１〜図９を参照して組み付け手順を説明する。まず、ＬＳＩ、液晶表示器、抵抗、コンデンサ、マイク、スピーカ、ＬＥＤ等が実装された内蔵用のプリント基板、その他の実装部品が予め準備される。また、上側筐体１０には予めアンテナを取り付けておき、下側筐体２０にはキーブロックを装着しておく。
【００２７】
次に、図１及び図３に示すように、上側筐体１０の係合部材１４ａ，１４ｂのそれぞれの貫通穴１５ａ，１５ｂ内にヒンジユニット３１と３２の胴体部３１ａ，３２ａを装填する。図１０に示すように、下側筐体２０の係合部材２２ａ，２２ｂに上側筐体１０の係合部材１４ａ，１４ｂを位置合わせし、この状態で上側筐体１０を図示の矢印方向から近づけ、凸部３１ｂ，３２ｂを溝２３ａ，２３ｂに差し込むようにして組み付ければ、上側筐体１０と下側筐体２０は結合し、図２及び図１１の状態になる。次に、製造仕様に従ってプリント基板等の実装部品を下側筐体２０に搭載した後、図１２に示すように、図８に示した下側筐体用裏面カバー４０を下側筐体２０に装着する。これにより、図９に示すように、ヒンジユニット３１（３２）の凸部３１ｂ（３２ｂ）は、突部４１によって溝２３ａ（２３ｂ）内に固定される。この後、上側筐体１０に液晶表示器等の必要な部品を実装した後、上側筐体用裏面カバー（図示せず）を装着する。さらに、上側筐体１０のネジ穴１０ｃ，１０ｄ，１２，１３にビスを装着して上側筐体用裏面カバーと上側筐体１０を固定する。同様に、下側筐体用裏面カバー４０のビス穴（図示せず）にビスを装着し、下側筐体用裏面カバー４０と下側筐体２０を固定する。各ビス穴の内、外部からビス穴が見える状態のものについては、キャップ（図示せず）を装着してビスの頭部を隠して美観を良くする。以上により、組み付け作業が完了する。
【００２８】
上記した実施の形態によれば、ヒンジユニット３１，３２を事前に係合部材１４ａ，１４ｂ内に装填できる構成にし、下側筐体２０に対しては溝２３ａ，２３ｂに凸部３１ｂ，３２ｂが内側から嵌合する構造とし、ヒンジキャップを不要にしたため、ヒンジユニット３１，３２を内部からアセンブリできるようになり、具体的に示せば、以下に列挙する作用効果が得られる。
（１）外観からヒンジユニットが見えないことにより、美観が向上すると共にデザインの自由度が向上する。
（２）ヒンジキャップが不要になることによって部品点数を削減でき、したがってコストダウンが可能になる。
（３）筐体にヒンジユニットを固定する手段にスナップフィット部やＥリングを用いていないため、解体の作業性が向上すると共にヒンジユニットの破損が生じない。このため、リサイクル処理が容易になるほか、ヒンジユニットの再利用が可能になる。これに対し、従来のヒンジユニットは、スナップフィット部が合成樹脂製であったため、解体時にスナップフィット部が破損することがあった。
（４）ヒンジユニットを固定するに際し、下側筐体側のヒンジ部には筒形状部分を有しないため、金型構成上、スライド部が不要になり、したがって成形品の精度向上、金型のコストダウンが可能になる。
【００２９】
上記実施の形態においては、上側筐体１０の係合部材１４ａ，１４ｂを筒形にし、下側筐体２０の係合部材２２ａ，２２ｂが筒形部分を持たずに溝２３ａ，２３ｂでヒンジユニットを保持する構造としたが、逆に、上側筐体１０側が溝２３ａ，２３ｂを有し、下側筐体２０側が筒形の係合部材１４ａ，１４ｂを有する構造であってもよい。
【００３０】
或いは、上側筐体１０と下側筐体２０の両方の係合部材が分割された構造にしてもよい。すなわち、係合部材１４ａ，１４ｂに相当する部分を上下に２つ割りにして上側筐体１０と下側筐体２０に振り分け、この部分でヒンジユニット３１，３２の胴体部３１ａ，３２ａを保持する構造である。
【００３１】
また、上記実施の形態においては、ヒンジユニットを２個用いるものとしたが、ヒンジユニット３１又は３２の一方を単に回転軸としてのみ機能する円柱状の部材にし、その端部を溝２３ａ又は２３ｂに軸支するようにしてもよい。この場合、ヒンジユニットの個数に応じた数の係合部材にする必要がある。
【００３２】
さらに、上記実施の形態においては、折り畳み型移動通信装置として、携帯電話機を示したが、本発明は携帯電話機に限定されるものではなく、折り畳み型の構造を持つ移動通信装置に広く適用可能である。例えば、折り畳み型の構造を持つＰＨＳ、自動車電話、各種業務用（連絡用）無線機、簡易無線機、アマチュア無線用の無線機等にも適用可能である。
【００３３】
【発明の効果】
以上より明らかなように、本発明のヒンジ部構造によれば、ヒンジの軸支部として機能する第１の係合部材及び第２の係合部材が第１の筐体及び第２の筐体に設けられ、ヒンジの軸部として機能するヒンジユニットが隣接する第１及び第２の係合部材間にヒンジの内側からアセンブリされる構造にしたので、ヒンジユニットは、ヒンジの内側から装着することができると共にヒンジの外側から見えないように（外側の係合部材から見えないように）取り付けることが可能になり、美観が向上するほか、筐体デザインの自由度が向上する。さらには、ヒンジキャップが不必要になるので、部品点数の削減が可能になり、コストダウンが図られる。また、ヒンジユニットには、従来必要としたスナップフィットを用いないので解体作業が容易になるほか、破損し難くなるのでリサイクルの可能性が高くなる。
【図面の簡単な説明】
【図１】本発明における折り畳み型移動通信装置のヒンジ部構造の主要部を示す斜視図である。
【図２】上側筐体と下側筐体を組み付けた後のヒンジ部の構造を示す斜視図である。
【図３】上側筐体にヒンジユニットを装填した状態におけるヒンジ部を示す斜視図である。
【図４】上側筐体及びヒンジユニットの全体構成を示し、（ａ）は裏面図、（ｂ）は（ａ）の左側面、（ｃ）は右側面図である。
【図５】図４の係合部材のＡ−Ａ断面を示す断面図である。
【図６】下側筐体の全体構成を示し、（ａ）は裏面図、（ｂ）は（ａ）の左側面図、（ｃ）は右側面図である。
【図７】図６の下側筐体のＢ−Ｂ断面を示す断面図である。
【図８】下側筐体用裏面カバーの断面図である。
【図９】図８に示す裏面カバーを下側筐体に装着したときの係合部材の断面形状を示す断面図である。
【図１０】本発明における上側筐体と下側筐体の組み付けの第１工程を示す説明図である。
【図１１】本発明における上側筐体と下側筐体の組み付けの第２工程を示す説明図である。
【図１２】本発明における上側筐体と下側筐体の組み付けの第３工程を示す説明図である。
【図１３】従来のヒンジ部構造、及び上側筐体と下側筐体の全体を示す分解図である。
【図１４】図１３の状態から各部の組み付けを完了した状態を示す側面図及び平面図である。
【図１５】従来のヒンジ部構造を裏側から見た状態を示す斜視図である。
【図１６】従来のヒンジ部構造にあって、スナップフィット部の各先端の状態を示す説明図である。
【符号の説明】
１０  上側筐体
１１  表示用窓
１２，１３  ネジ穴
１４ａ，１４ｂ，２２ａ，２２ｂ，２２ｃ  係合部材
１５ａ，１５ｂ  貫通穴
１６ａ，１６ｂ，１８  突起
１７ａ，１７ｂ  開口
２１  キー操作部
２３ａ，２３ｂ，３１ｄ，３２ｄ  溝
３１，３２  ヒンジユニット
３１ａ，３２ａ  胴体部
３１ｂ，３２ｂ  凸部
３１ｃ，３２ｃ  嵌入部
４０  下側筐体用裏面カバー
４１  突部
【図１】
0003776776.tif 000002
【図２】
0003776776.tif 000003
【図３】
0003776776.tif 000004
【図４】
0003776776.tif 000005
【図５】
0003776776.tif 000006
【図６】
0003776776.tif 000007
【図７】
0003776776.tif 000008
【図８】
0003776776.tif 000009
【図９】
0003776776.tif 000010
【図１０】
0003776776.tif 000011
【図１１】
0003776776.tif 000012
【図１２】
0003776776.tif 000013
【図１３】
0003776776.tif 000014
【図１４】
0003776776.tif 000015
【図１５】
0003776776.tif 000016
【図１６】
0003776776.tif 000017